(57)【要約】【課題】本発明はレンズモジュールを提供する。【解決手段】前記レンズモジュールは、順に配置された第１レンズ、遮光シート、及び第２レンズを備え、前記遮光シートは中空リング状の構造をなし、前記遮光シートは、水平に延在する第１部分と、前記第１部分から前記光軸に近づく方向に向かって傾斜延在する第２部分と、前記第２部分から前記光軸に近づく方向に向かって水平に延在する第３部分とを備え、前記第１レンズ及び前記第２レンズの、前記遮光シートに向かう表面は、いずれも前記第１部分に当接する平面と前記第３部分に当接する平面とを備える。【選択図】図１
2019133141.tif 000002
【特許請求の範囲】
【請求項１】
レンズモジュールであって、
順に配置された第１レンズ、遮光シート、及び第２レンズを備え、
前記遮光シートは中空リング状の構造をなし、前記遮光シートは、水平に延在する第１部分と、前記第１部分から前記光軸に近づく方向に向かって傾斜延在する第２部分と、前記第２部分から前記光軸に近づく方向に向かって水平に延在する第３部分とを備え、
前記第１レンズ及び前記第２レンズの、前記遮光シートに向かう面はいずれも、前記第１部分に当接する平面と、前記第３部分に当接する平面とを備えることを特徴とするレンズモジュール。
【請求項２】
前記第１レンズは、前記遮光シートの物体側に位置し、前記第１レンズの前記遮光シートに向かう第１面は、順に接続された第１平面、第２平面及び第３平面を備え、前記第１平面は前記第１部分に当接し、前記第３平面は前記第３部分に当接し、前記第２平面は前記第２部分に当接しないことを特徴とする請求項１に記載のレンズモジュール。
【請求項３】
前記第２平面は、前記第１平面から物体側に向かって傾斜延在することを特徴とする請求項２に記載のレンズモジュール。
【請求項４】
前記第２平面は、前記第１平面から像側に向かって傾斜延在することを特徴とする請求項２に記載のレンズモジュール。
【請求項５】
前記第２レンズは、前記遮光シートの像側に位置し、前記第２レンズの前記遮光シートに向かう第２面は、順に接続された第４平面、第５平面及び第６平面を備え、前記第４平面は前記第１部分に当接し、前記第６平面は前記第３部分に当接し、前記第５平面は前記第２部分に当接しないことを特徴とする請求項２に記載のレンズモジュール。
【請求項６】
前記第５平面は、前記第４平面から物体側に向かって傾斜延在することを特徴とする請求項３に記載のレンズモジュール。
【請求項７】
前記第５平面は、前記第４平面から像側に向かって傾斜延在することを特徴とする請求項４に記載のレンズモジュール。
【請求項８】
前記第３部分は、光軸に近い一端が前記第１レンズ及び／又は前記第２レンズに当接しないことを特徴とする請求項１乃至７のいずれか１項に記載のレンズモジュール。
【請求項９】
前記レンズモジュールは、収容空間を有する鏡筒と、前記鏡筒に収容されたレンズ群とを備え、前記レンズ群は、光軸方向に沿って物体側から像側に向かって、第３レンズ、第１遮光シート、第４レンズ、第２遮光シート、第５レンズ、第３遮光シート、第１レンズ、前記遮光シート、第２レンズ、遮光板、第６レンズ、及び押えリングを備えることを特徴とする請求項８に記載のレンズモジュール。
【発明の詳細な説明】
【技術分野】
【０００１】
本発明は光学結像の技術分野に関し、特にレンズモジュールに関する。
【背景技術】
【０００２】
結像技術の発展及び撮像機能を有する電子製品の幅広い使用に伴い、光学レンズモジュールは生活の各分野に広く使用されている。光学レンズモジュールは、使用の際に、鏡筒の通光孔から入射した光線に一部の迷光が含まれ、これらの迷光によって、実際の撮像画面には、明らかな迷光が生じて、結像の品質を低下させる。
【発明の概要】
【発明が解決しようとする課題】
【０００３】
例えば、光が鏡筒を通ってレンズの外径又はレンズと遮光シートとの間の支持部分に入射したとき、反射されることによって再び鏡筒の内部に入射することになり、迷光干渉になる。また、遮光シートとうまく協働するように、レンズ設計では、一般に非球面構造とすることが特徴であり、この特徴はレンズ設計の柔軟性を制限する。
【課題を解決するための手段】
【０００４】
上記課題を解決するために、本発明はレンズモジュールを提供する。前記レンズモジュールは、順に配置された第１レンズ、遮光シート及び第２レンズを備え、前記遮光シートは中空リング状の構造をなし、前記遮光シートは、水平に延在する第１部分と、前記第１部分から前記光軸に近づく方向に向かって傾斜延在する第２部分と、前記第２部分から前記光軸に近づく方向に向かって水平に延在する第３部分とを備え、前記第１レンズ及び前記第２レンズの、前記遮光シートに向かう面はいずれも、前記第１部分に当接する平面と、前記第３部分に当接する平面とを備える。
【０００５】
１種の改良として、前記第１レンズは、前記遮光シートの物体側に位置し、前記第１レンズの前記遮光シートに向かう第１面は、順に接続された第１平面、第２平面及び第３平面を備え、前記第１平面は前記第１部分に当接し、前記第３平面は前記第３部分に当接し、前記第２平面は前記第２部分に当接しない。
【０００６】
１種の改良として、前記第２平面は、前記第１平面から物体側に向かって傾斜延在する。
【０００７】
１種の改良として、前記第２平面は、前記第１平面から像側に向かって傾斜延在する。
【０００８】
１種の改良として、前記第２レンズは、前記遮光シートの像側に位置し、前記第２レンズの前記遮光シートに向かう第２面は、順に接続された第４平面、第５平面及び第６平面を備え、前記第４平面は前記第１部分に当接し、前記第６平面は前記第３部分に当接し、前記第５平面は前記第２部分に当接しない。
【０００９】
１種の改良として、前記第５平面は、前記第４平面から物体側に向かって傾斜延在する。
【００１０】
１種の改良として、前記第５平面は、前記第４平面から像側に向かって傾斜延在する。
【００１１】
１種の改良として、前記第３部分は、光軸に近い一端が前記第１レンズ及び／又は前記第２レンズに当接しない。
【００１２】
１種の改良として、前記レンズモジュールは、収容空間を有する鏡筒と、前記鏡筒に収容されたレンズ群とを備え、前記レンズ群は、光軸方向に沿って物体側から像側に向かって、第３レンズ、第１遮光シート、第４レンズ、第２遮光シート、第５レンズ、第３遮光シート、第１レンズ、前記遮光シート、第２レンズ、遮光板、第６レンズ、及び押えリングを備える。
【００１３】
本発明の有益な効果は以下の通りである。本発明に係るレンズモジュールにおける遮光シートは、１つの水平面に位置しない水平に延在する２つの部分を有し、遮光シートに合わせて設計されたレンズとともに使用されると、非球面構造による制限を受けることなく柔軟にレンズを設計できるようにするとともに、レンズと遮光シートとの間における支持部分及びレンズ外径での迷光を低減することができ、レンズモジュールの光学性能を向上させる。
【図面の簡単な説明】
【００１４】
【図１】本発明の実施例１に係るレンズモジュールの構成模式図である。
【図２】図１におけるＡ部分の部分拡大図である。
【図３】本発明の実施例２に係るレンズモジュールの構成模式図である。
【図４】図３におけるＢ部分の部分拡大図である。
【発明を実施するための形態】
【００１５】
以下、本発明の技術案及び各方面のメリットをよりよく理解できるように、具体的な実施形態に合わせて、図１乃至図４を参照しながら、本発明についてより詳細に説明する。以下の実施例では、以下の具体的な実施形態を提供する目的は、本願に記載された内容をより明瞭に理解するためであり、本発明を制限するものではない。ここで、上、下、左、右などの方位を指す用語は、示された構成の図面における位置についてのみである。
【００１６】
実施例１
図１と図２に示すように、レンズモジュール１００は、順に配置された第１レンズ１３１、遮光シート１３２、及び第２レンズ１３３を備え、遮光シート１３２は中空リング状の構造をなし、遮光シート１３２は、水平に延在する第１部分１３２１と、第１部分１３２１から光軸に近づく方向に向かって傾斜延在する第２部分１３２２と、第２部分１３２２から光軸に近づく方向に向かって水平に延在する第３部分１３２３とを備え、第１レンズ１３１及び第２レンズ１３３の、遮光シートに向かう面は、いずれも第１部分に当接する平面と、第３部分に当接する平面とを備える。
【００１７】
図２に示すように、第２レンズ１３３における第４平面１３３１は第１部分に当接し、第６平面１３３３は第３部分に当接する。同時に、第１レンズにも、第１部分に当接する平面と第３部分に当接する平面とが設けられている。
【００１８】
この設計は、遮光シートの特殊な設計に応じて、レンズの辺縁を局所的に厚くするか又は薄くすることにより、レンズの構造を柔軟に設計することができるとともに、レンズと遮光シートとの間における支持部分及びレンズ外径での迷光を効果的に低減させることができる。
【００１９】
具体的に、図２に示すように、第２レンズ１３３は遮光シートの像側に位置し、第２レンズ１３３の遮光シートに向かう第２面は、順に接続された第４平面１３３１、第５平面１３３２及び第６平面１３３３を備え、第４平面１３３１は第１部分１３２１に当接し、第６平面１３３３は第３部分１３２３に当接し、第５平面１３３２は第２部分に当接しない。
【００２０】
図２に示すように、第１レンズと第２レンズとの間に、クリアランスを空けるために予め一定の空間を確保しておき、クリアランス空間を構成する平面間の角度は実際の状況に応じて設計されてもよい。
【００２１】
図２に示すように、第５平面１３３２は、第４平面１３３１から物体側に向かって傾斜延在する。
【００２２】
そして、第１レンズ１３１は遮光シートの物体側に位置し、第１レンズの遮光シートに向かう第１面は、順に接続された第１平面、第２平面及び第３平面（図示せず）を備え、第１平面は第１部分に当接し、第３平面は第３部分に当接し、第２平面は第２部分に当接しない。ここで、第２平面は第１平面から物体側に向かって傾斜延在する。
【００２３】
図１に示すように、レンズモジュール１００は、収容空間を有する鏡筒１１０と、鏡筒１１０に収容されたレンズ群とを備え、レンズ群は、光軸方向に沿って物体側から像側に向かって、第３レンズ１２１、第１遮光シート１６１、第４レンズ１２２、第２遮光シート１６２、第５レンズ１２３、第３遮光シート１６３、第１レンズ１３１、遮光シート１３２、第２レンズ１３３、遮光板１４０、第６レンズ１２６、及び押えリング１５０を備える。
【００２４】
実際の応用において、レンズモジュールにおけるレンズの数は、１つ、２つ又は複数であってもよく、異なる要求に応じて選択的に設置することができ、図１に示す６つに限定されない。
【００２５】
そして、第１レンズ１３１と第２レンズ１３３の位置も第５レンズと第６レンズとの間に設置されることに限定されなく、レンズ群における任意の位置に設置されてもよく、また、レンズモジュールがより良い光学性能を有するように、レンズ群における他のレンズや他の遮光シートも、第１レンズ１３１、遮光シート１３２及び第２レンズ１３３の構造を有してもよい。
【００２６】
レンズモジュールにおける遮光シートと遮光板は、ある程度迷光を遮断することができる。押えリングは、レンズモジュールの内部におけるレンズ群及びレンズ群の間に介設された遮光件などの構成部分を固着することができ、レンズモジュールの内部構造全体を安定させる役割を果たす。
【００２７】
図２に示すように、第３部分の光軸に近い一端の２つの面はいずれも逃がし面であり、即ち、いずれも第１レンズと第２レンズとに当接しない。但し、実際の応用において、第３部分の光軸に近い一端は、第１レンズと第２レンズにそれぞれ当接してもよい。
【００２８】
従来技術に比べ、本発明に係るレンズモジュールにおける遮光シートは、１つの水平面に位置しない、水平に延在する２つの部分を有し、遮光シートに合わせて設計されたレンズとともに使用されると、非球面構造による制限を受けることなくレンズを柔軟に設計できるようにするとともに、レンズと遮光シートとの間における支持部分及びレンズ外径での迷光を低減することができ、レンズモジュールの光学性能を向上させる。
【００２９】
実施例２
１種の改良として、第２平面は、第１平面から像側に向かって傾斜延在する。
【００３０】
１種の改良として、第５平面は、第４平面から像側に向かって傾斜延在する。
【００３１】
図３と図４に示すように、レンズモジュール３００は、順に配置された第１レンズ２３１、遮光シート２３２、及び第２レンズ２３３を備え、遮光シート２３２は中空リング状の構造をなし、遮光シート２３２は、水平に延在する第１部分２３２１と、第１部分２３２１から光軸に近づく方向に向かって傾斜延在する第２部分２３２２と、第２部分２３２２から光軸に近づく方向に向かって水平に延在する第３部分２３２３とを備え、第１レンズ２３１及び第２レンズ２３３の、遮光シートに向かう面はいずれも、第１部分に当接する平面と第３部分に当接する平面とを備える。
【００３２】
図４に示すように、第１レンズ２３１における第４平面２３１１は第１部分に当接し、第６平面２３１３は第３部分に当接する。同時に、第２レンズにも第１部分に当接する平面と第３部分に当接する平面が設けられている。
【００３３】
この設計は、遮光シートの特殊な設計に応じて、レンズの辺縁を局所的に厚くするか又は薄くすることにより、レンズの構造を柔軟に設計することができるとともに、レンズと遮光シートとの間における支持部分及びレンズ外径での迷光を効果的に低減させることができる。
【００３４】
具体的に、図４に示すように、第１レンズ２３１は遮光シートの物体側に位置し、第１レンズの遮光シートに向かう第１面は、順に接続された第１平面２３１１、第２平面２３１２及び第３平面２３１３を備え、第１平面２３１１は第１部分２３２１に当接し、第３平面２３１３は第３部分２３２３に当接し、第２平面は第２部分に当接しない。ここで、第２平面２３１２は第１平面から物体側に向かって傾斜延在する。
【００３５】
図４に示すように、第１レンズ２３１と第２レンズ２３３との間に、逃がしのために予め一定の空間を確保しておき、逃がし空間を構成する平面の間の角度は実際の状況に応じて設計されてもよい。
【００３６】
図４に示すように、第５平面１３３２は第４平面１３３１から物体側に向かって傾斜延在する。
【００３７】
また、第２レンズ２３３は遮光シートの像側に位置し、第２レンズ２３３の遮光シートに向かう第２面は、順に接続された第４平面、第５平面及び第６平面（図示せず）を備え、第４平面は第１部分２３２１に当接し、第６平面は第３部分２３２３に当接し、第５平面は第２部分２３２２に当接しない。
【００３８】
図３に示すように、レンズモジュール２００は、収容空間を有する鏡筒２１０と、鏡筒２１０に収容されたレンズ群とを備え、レンズ群は、光軸方向に物体側から像側に向かって、第３レンズ２２１、第１遮光シート２６１、第４レンズ２２２、第２遮光シート２６２、第５レンズ２２３、第３遮光シート２６３、第１レンズ２３１、遮光シート２３２、第２レンズ２３３、遮光板２４０、第６レンズ２２６、及び押えリング２５０を備える。
【００３９】
実際の応用において、レンズモジュールにおけるレンズの数は、１つ、２つ又は複数であってもよく、異なる要求に応じて選択的に設置することができ、図３に示す６つに限定されない。
【００４０】
そして、第１レンズ２３１と第２レンズ２３３の位置も第５レンズと第６レンズとの間に設置されることに限定されなく、それらはレンズ群における任意の位置に設置されてもよく、また、レンズモジュールがより良い光学性能を有するように、レンズ群における他のレンズや他の遮光シートも、第１レンズ２３１、遮光シート２３２及び第２レンズ２３３の構造を有してもよい。
【００４１】
レンズモジュールにおける遮光シートと遮光板は一定の程度で迷光を遮断することができる。押えリングでレンズモジュールの内部におけるレンズ群及びレンズ群の間に介設された遮光件などの構成部分を固着することができ、レンズモジュールの内部構造全体を安定させる役割を果たす。
【００４２】
図４に示すように、第３部分２３２３の光軸に近い一端の２つの面はいずれも逃がし面であり、即ち、いずれも第１レンズと第２レンズとに当接しない。但し、実際の応用において、第３部分２３２３の光軸に近い一端も第１レンズと第２レンズにそれぞれ当接してもよい。
【００４３】
従来技術に比べ、本発明に係るレンズモジュールにおける遮光シートは、１つの水平面に位置しない２つの水平に延在する部分を有し、遮光シートに合わせて設計されたレンズとともに使用されると、レンズが非球面構造による制限を受けず、柔軟に設計されるとともに、レンズと遮光シートとの間における支持部分及びレンズ外径での迷光を低減させて、レンズモジュールの光学性能を向上させる。
【００４４】
上記各実施形態は本発明の実施形態に過ぎず、当業者であれば、本発明の趣旨を逸脱しない範囲で改良が可能であるが、これらは本発明の保護範囲に含まれる。
【図１】
2019133141.tif 000003
【図２】
2019133141.tif 000004
【図３】
2019133141.tif 000005
【図４】
2019133141.tif 000006